(57)【要約】【課題】クラウドサーバから発行される予約番号等の処理識別情報を処理装置に入力しなくても処理装置に処理を実行させることが可能な情報処理装置、情報処理システム及びプログラムを提供する。【解決手段】情報処理装置は、処理装置に対する処理の実行を指示する処理指示情報を、クラウドサーバに送信する送信手段２０１と、処理指示情報が送信されたクラウドサーバから発行された処理を識別する処理識別情報を受信する受信手段２０２と、処理装置に表示された当該処理装置を識別する装置識別情報を読み取る読取手段２０４と、受信した処理識別情報と読み取った装置識別情報とに基づいて、装置識別情報に対応する処理装置に処理の実行を指示する実行指示手段２０５とを備える。【選択図】図１
2019057146.tif 000002
【特許請求の範囲】
【請求項１】
処理装置に対する処理の実行を指示する処理指示情報を、クラウドサーバに送信する送信手段と、
前記処理指示情報が送信された前記クラウドサーバから発行された、前記処理を識別する処理識別情報を受信する受信手段と、
前記処理装置に表示された当該処理装置を識別する装置識別情報を読み取る読取手段と、
受信した前記処理識別情報と読み取った前記装置識別情報とに基づいて、前記装置識別情報に対応する処理装置に前記処理の実行を指示する実行指示手段と、
を備えた情報処理装置。
【請求項２】
前記送信手段は、前記処理識別情報の形式が異なる複数のクラウドサーバのいずれかのクラウドサーバに送信する、
請求項１に記載の情報処理装置。
【請求項３】
前記実行指示手段は、前記複数のクラウドサーバのうちの１つのクラウドサーバに前記処理識別情報を送信して、前記１つのクラウドサーバに対応する前記処理装置に前記処理の実行を指示する、
請求項２に記載の情報処理装置。
【請求項４】
前記複数のクラウドサーバのうちの１つのクラウドサーバに対して、他の１つのクラウドサーバに前記処理指示情報を送信するよう指示する送信指示手段をさらに備える、
請求項２に記載の情報処理装置。
【請求項５】
前記受信手段は、前記他の１つのクラウドサーバから発行された前記処理識別情報を受信し、
前記実行指示手段は、前記他の１つのクラウドサーバから受信した前記処理識別情報及び前記装置識別情報に基づいて、前記他の１つのクラウドサーバに対応する処理装置に前記処理の実行を指示する、
請求項４に記載の情報処理装置。
【請求項６】
処理の実行を指示する複数の処理装置と、
前記複数の処理装置が関連付けられたクラウドサーバと、
前記複数の処理装置に対する処理の実行を指示する処理指示情報を、前記クラウドサーバに送信する送信手段と、
前記処理指示情報が送信された前記クラウドサーバから、前記処理を識別する処理識別情報を受信する受信手段と、
前記処理装置に表示された前記処理装置を識別する装置識別情報を読み取る読取手段と、
受信した前記処理識別情報と読み取った前記装置識別情報とに基づいて、前記装置識別情報に対応する処理装置に前記処理の実行を指示する実行指示手段と、
を備えた情報処理システム。
【請求項７】
コンピュータを、
処理装置に対する処理の実行を指示する処理指示情報を、クラウドサーバに送信する送信手段と、
前記処理指示情報が送信された前記クラウドサーバから発行された、前記処理を識別する処理識別情報を受信する受信手段と、
前記処理装置に表示された当該処理装置を識別する装置識別情報を読み取る読取手段と、
受信した前記処理識別情報と読み取った前記装置識別情報とに基づいて、前記装置識別情報に対応する処理装置に前記処理の実行を指示する実行指示手段、
として、機能させるためのプログラム。
【発明の詳細な説明】
【技術分野】
【０００１】
本発明は、情報処理装置、情報処理システム及びプログラムに関する。
【背景技術】
【０００２】
近年、クラウドサービスと連携した印刷サービスを提供する情報処理システムが提案されている（例えば、特許文献１参照。）。
【０００３】
特許文献１に記載された情報処理システムは、印刷サービスによる印刷ジョブが作成されたことを示す通知を印刷システムから受信すると、印刷ジョブを印刷システムから取得するジョブ取得手段と、ジョブ取得手段により取得された印刷ジョブを記憶手段に記憶させるジョブ管理手段と、サービス提供システムにネットワークを介して接続される画像形成装置からの要求に応じて、記憶手段に記憶されている印刷ジョブを送信する送信手段とを有する。
【先行技術文献】
【特許文献】
【０００４】
【特許文献１】特開２０１７−１１１７９９号公報
【発明の概要】
【発明が解決しようとする課題】
【０００５】
本発明の課題は、クラウドサーバから発行される予約番号等の処理識別情報を処理装置に入力しなくても処理装置に処理を実行させることが可能な情報処理装置、情報処理システム及びプログラムを提供することにある。
【課題を解決するための手段】
【０００６】
［１］処理装置に対する処理の実行を指示する処理指示情報を、クラウドサーバに送信する送信手段と、前記処理指示情報が送信された前記クラウドサーバから発行された前記処理を識別する処理識別情報を受信する受信手段と、前記処理装置に表示された当該処理装置を識別する装置識別情報を読み取る読取手段と、受信した前記処理識別情報と読み取った前記装置識別情報とに基づいて、前記装置識別情報に対応する処理装置に前記処理の実行を指示する実行指示手段と、を備えた情報処理装置。
［２］前記送信手段は、前記処理識別情報の形式が異なる複数のクラウドサーバのいずれかのクラウドサーバに送信する、前記［１］に記載の情報処理装置。
［３］前記実行指示手段は、前記複数のクラウドのうちの１つのクラウドサーバに前記処理識別情報を送信して、前記１つのクラウドサーバに対応する前記処理装置に前記処理の実行を指示する、前記［２］に記載の情報処理装置。
［４］前記複数のクラウドのうちの１つのクラウドに対して、他の１つのクラウドに前記処理指示情報を送信するよう指示する送信指示手段をさらに備える、前記［２］に記載の情報処理装置。
［５］前記受信手段は、前記他の１つのクラウドから発行された前記処理識別情報を受信し、前記実行指示手段は、前記他の１つのクラウドから受信した前記処理識別情報及び前記装置識別情報に基づいて、前記他の１つのクラウドに対応する処理装置に前記処理の実行を指示する、前記［４］に記載の情報処理装置。
［６］処理の実行を指示する複数の処理装置と、前記複数の処理装置が関連付けられたクラウドサーバと、前記複数の処理装置に対する処理の実行を指示する処理指示情報を、前記クラウドサーバに送信する送信手段と、前記処理指示情報が送信された前記クラウドサーバから、前記処理を識別する処理識別情報を受信する受信手段と、前記処理装置に表示された前記処理装置を識別する装置識別情報を読み取る読取手段と、受信した前記処理識別情報と読み取った前記装置識別情報とに基づいて、前記装置識別情報に対応する処理装置に前記処理の実行を指示する実行指示手段と、を備えた情報処理システム。
［７］コンピュータを、処理装置に対する処理の実行を指示する処理指示情報を、クラウドサーバに送信する送信手段と、前記処理指示情報が送信された前記クラウドサーバから発行された前記処理を識別する処理識別情報を受信する受信手段と、前記処理装置に表示された当該処理装置を識別する装置識別情報を読み取る読取手段と、受信した前記処理識別情報と読み取った前記装置識別情報とに基づいて、前記装置識別情報に対応する処理装置に前記処理の実行を指示する実行指示手段として、機能させるためのプログラム。
【発明の効果】
【０００７】
請求項１、６、７に係る発明によれば、クラウドサーバから発行される予約番号を処理装置に入力しなくても処理装置に処理を実行させることができる。
請求項２、３に係る発明によれば、複数のクラウドサーバから異なる形式で予約番号が発行される場合であっても、予約番号を処理装置に入力せずに処理装置に処理を実行させることができる。
請求項４、５に係る発明によれば、複数のクラウドサーバがある場合に不要なクラウドサーバに処理指示情報を送信しないようにすることができる。
【図面の簡単な説明】
【０００８】
【図１】図１は、本発明の第１の実施の形態に係る情報処理システムの構成例を示す図である。
【図２】図２は、端末装置の制御系の一例を示すブロック図である。
【図３】図３は、予約番号テーブルの一例を示す図である。
【図４】図４は、予約番号及び印刷指示情報の表示の一例を示す図である。
【図５】図５は、画像形成装置の制御系の一例を示すブロック図である。
【図６】図６は、クラウドサーバの制御系の一例を示すブロック図である。
【図７】図７は、印刷指示情報テーブルの一例を示す図である。
【図８】図８は、自動転送テーブルの一例を示す図であり、（ａ）は、第１のクラウドサーバの記憶部に記憶された例を示し、（ｂ）は、第２のクラウドサーバの記憶部に記憶された例を示し、（ｃ）は、第３のクラウドサーバの記憶部に記憶された例を示す。
【図９】図９は、図１に示す情報処理システムの動作の一例を示すタイミングチャートである。
【図１０】図１０は、端末装置の動作の一例を示すフローチャートである。
【図１１】図１１は、画像形成装置の動作の一例を示すフローチャートである。
【図１２】図１２は、クラウドサーバの動作の一例を示すフローチャートである。
【図１３】図１３は、変形例に係る情報処理システムの動作の一例を示すタイミングチャートである。
【図１４】図１４は、本発明の第２の実施の形態に係る情報処理装置としての端末装置の制御系の一例を示すブロック図である。
【図１５】図１５は、第２の実施の形態に係る情報処理システムの動作の一例を示すタイミングチャートである。
【図１６】図１６は、第２の実施の形態に係る端末装置の動作の一例を示すフローチャートである。
【図１７】図１７は、第２の実施の形態に係るクラウドサーバの動作の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る情報処理装置は、処理装置に対する処理の実行を指示する処理指示情報を、クラウドサーバに送信する送信手段と、処理指示情報が送信されたクラウドサーバから発行された処理を識別する処理識別情報を受信する受信手段と、処理装置に表示された当該処理装置を識別する装置識別情報を読み取る読取手段と、受信した処理識別情報と読み取った装置識別情報とに基づいて、装置識別情報に対応する処理装置に処理の実行を指示する実行指示手段とを備える。
【００１１】
「処理」は、例えば、コピー、スキャン、プリント（「印刷」ともいう。）、ファクシミリ、電子メール等の機能及びこれらのうちのいくつかを組み合わせた機能をいう。
【００１２】
「処理識別情報」とは、処理指示情報を識別する情報、例えば予約番号をいう。予約番号は、例えば、予め定められた文字数（例えば、８文字）の文字、数字、記号等で構成される情報である。
【００１３】
クラウドサーバは、少なくとも１つの処理装置が関連付けられた外部サーバ装置である。クラウドサーバは、処理識別情報を発行する機能を有する。なお、クラウドサーバは、形式が異なる複数の処理識別情報を発行できるものであれば、単数でも複数でもよい。
【００１４】
［第１の実施の形態］
図１は、本発明の第１の実施の形態に係る情報処理システムの構成例を示す図である。この情報処理システム１は、端末装置２と、複数の第１の画像形成装置３Ａ、第２の画像形成装置３Ｂ、第３の画像形成装置３Ｃ（これらを総称するときは「画像形成装置３」ともいう。）と、複数の画像形成装置３Ａ、３Ｂ、３Ｃのそれぞれが関連付けられた第１のクラウドサーバ４Ａ、第２のクラウドサーバ４Ｂ及び第３のクラウドサーバ４Ｃ（これらを総称するときは単に「クラウドサーバ４」ともいう。）とを有して構成されている。端末装置２は、複数の画像形成装置３及び複数のクラウドサーバ４と通信可能に接続されている。端末装置２は、情報処理装置の一例である。画像形成装置３は、処理装置の一例である。
【００１５】
なお、図１では、説明の便宜上、１つのクラウドサーバ４に複数の画像形成装置３が関連付けされている例を示したが、この形態に限定されるものではなく、例えば、１つのクラウドサーバ４に１つの画像形成装置３が関連付けられていてもよい。また、図１では、クラウドサーバ４の台数がそれぞれ３台設けられている例を示したが、これに限定されるものではなく、１台、２台でもよく、又は４台以上でもよい。
【００１６】
端末装置２は、例えば、パーソナルコンピュータ、タブレット型端末、多機能携帯電話機（スマートフォン）等の携帯型情報処理装置を用いることができる。なお、図１では、説明の便宜上、端末装置２を２台示したが、台数はこれに限定されるものではない。
【００１７】
この画像形成装置３は、例えば、スキャン機能、プリンタ機能、コピー機能、ファクシミリ機能、電子メール機能等の複数の機能を有する複合機である。なお、画像形成装置３は、プリンタ機能を有していればよく、複合機に限定されるものではない。
【００１８】
画像形成装置３は、例えば、官公庁等の公的機関、図書館、ホテル等の公共施設や、オフィス、学校等の居室内、あるいは、コンビニエンスストア等大衆向けの販売店等のエリアに設置され得る。以下、画像形成装置３をそれぞれ公共施設、オフィス、コンビニエンスストアに複数台ずつ設置した場合を例に説明する。なお、説明の便宜上、画像形成装置３を設置場所ごとに区別して特定する必要がある場合は、公共施設に設置された画像形成装置３を「第１の画像形成装置３Ａ」ともいい、オフィスに設置された画像形成装置３を「第２の画像形成装置３Ｂ」ともいい、コンビニエンスストアに設置された画像形成装置３を「第３の画像形成装置３Ｃ」ともいう。
【００１９】
クラウドサーバ４は、少なくとも１つの画像形成装置３が関連付けられた外部サーバ装置である。クラウドサーバ４は、ネットワーク５Ａ、５Ｂ、５Ｃを介して、関連付けられた画像形成装置３と通信可能に接続されている。また、クラウドサーバ４同士は、ネットワーク５Ｄを介して、通信可能に接続されている。以下では、３つのクラウドサーバ４に、公共施設に設置された画像形成装置３、オフィスに設置された画像形成装置３、コンビニエンスストアに設置された画像形成装置３がそれぞれ関連付けされているものとして説明する。なお、説明の便宜上、クラウドサーバ４を設置場所ごとに区別して特定する必要がある場合は、公共施設に対応して設置されたクラウドサーバ４を「第１のクラウドサーバ４Ａ」ともいい、オフィスに対応して設置されたクラウドサーバ４を「第２のクラウドサーバ４Ｂ」ともいい、コンビニエンスストアに対応して設置されたクラウドサーバ４を「第３のクラウドサーバ４Ｃ」ともいう。また、第１のクラウドサーバ４Ａに接続されるネットワーク５を「第１のネットワーク５Ａ」ともいい、第２のクラウドサーバ４Ｂに接続されるネットワーク５を「第２のネットワーク５Ｂ」ともいい、第３のクラウドサーバ４Ｃに接続されるネットワーク５を「第３のネットワーク５Ｃ」ともいい、第１のクラウドサーバ４Ａ、第２のクラウドサーバ４Ｂ及び第３のクラウドサーバ４Ｃに接続されるネットワーク５を「第４のネットワーク５Ｄ」ともいう。
【００２０】
本実施の形態では、第１のクラウドサーバ４Ａは、公共施設に設置された第１の画像形成装置３Ａを利用したプリントサービスをユーザに提供するものである。第２のクラウドサーバ４Ｂは、オフィスに設置された第２の画像形成装置３Ｂを利用したプリントサービスをユーザに提供するものである。第３のクラウドサーバ４Ｃは、コンビニエンスストアに設置された第３の画像形成装置３Ｃを利用したプリントサービスをユーザに提供するものである。公共施設、オフィス、コンビニエンスストアは、エリアの一例であり、これらのエリアに限られない。
【００２１】
ネットワーク５は、例えば、ローカルエリアネットワーク（ＬＡＮ）、インターネット、イントラネット等であり、有線でも無線でもよい。
【００２２】
（端末装置の構成）
図２は、端末装置２の制御系の一例を示すブロック図である。図２に示すように、端末装置２は、端末装置２を制御する制御部２０と、各種データを記憶する記憶部２１と、情報の入力及び表示を行う操作表示部２２と、カメラ等の画像読取部２３と、画像形成装置３及びクラウドサーバ４との間で無線通信を行う無線通信部２４とを備える。
【００２３】
端末装置２の制御部２０は、ＣＰＵ（Central Processing Unit）、インターフェース等から構成されている。ＣＰＵは、端末装置２の記憶部２１のプログラム２１０に従って動作し、生成手段２００、送信手段２０１、受信手段２０２、表示制御手段２０３、読取手段２０４、実行指示手段２０５等として機能する。各手段２００〜２０５の詳細については後述する。
【００２４】
端末装置２の記憶部２１は、ＲＯＭ（Read Only Memory）、ＲＡＭ（Random Access Memory）、ハードディスク等から構成され、プログラム２１０、予約番号テーブル２１１（図３参照）等の各種データを記憶する。
【００２５】
端末装置２の操作表示部２２は、例えば、タッチパネルディスプレイであり、液晶ディスプレイ等のディスプレイにタッチパネルを重合配置した構成を有する。
【００２６】
端末装置２の画像読取部２３は、例えば、可視光カメラであり、上述の画像形成装置３の操作表示部３２に表示されるコード画像を撮像する。端末装置２の画像読取部２３は、例えば、カメラの視野のうち予め定められた領域内にコード画像が映ったと認識したときに撮像を行うようになっている。
【００２７】
コード画像は、例えば、ＱＲコード（登録商標）である。なお、コード画像は、ＱＲコード（登録商標）に限られず、PDF417、Data Matrix、Maxi Code等の２次元コードでもよく、バーコード等の１次元コードや独自コード、ドットパターンでもよい。また、目的に応じて複数種のコードを組み合わせてもよい。
【００２８】
端末装置２の無線通信部２４は、Ｗｉ−ＦｉやＢｌｕｅＴｏｏｔｈ（登録商標）等を用いて、上述の画像形成装置３及びクラウドサーバ４との間で信号を送受信する。
【００２９】
（予約番号テーブルの構成）
図３は、予約番号テーブル２１１の一例を示す図である。予約番号テーブル２１１には、「名称」欄と、「第１の画像形成装置用の予約番号」欄と、「第２の画像形成装置用の予約番号」欄と、「第３の画像形成装置用の予約番号」欄とが設けられている。
【００３０】
「名称」欄には、印刷指示情報（「印刷ジョブ」ともいう。）の名称（例えば、印刷対象のファイル名等）が記録されている。「第１の画像形成装置用の予約番号」欄、「第２の画像形成装置用の予約番号」欄、及び「第３の画像形成装置用の予約番号」欄には、印刷指示情報を識別する予約番号がそれぞれ画像形成装置３Ａ，３Ｂ，３Ｃごとに記録されている。このようにして、予約番号テーブル２１１には、印刷指示情報と、予約番号とが関連付けられて記録されている。なお、本明細書において、テーブルに情報を書き込む場合に記録を用い、記憶部に情報を書き込む場合に記憶を用いる。印刷指示情報及び予約番号の詳細については、後述する。予約番号は、処理識別情報の一例である。
【００３１】
生成手段２００は、ユーザの操作に基づいて、印刷データ及び印刷条件を含む印刷指示情報を生成する。
【００３２】
送信手段２０１は、生成手段２００が生成した印刷指示情報をクラウドサーバ４に送信する。
【００３３】
受信手段２０２は、各クラウドサーバ４から送信される予約番号を受信する。また、受信手段２０２は、受信した予約番号を上述した記憶部２１の予約番号テーブル２１１に記録する。
【００３４】
表示制御手段２０３について、図４を参照して説明する。図４は、予約番号及び印刷指示情報の表示の一例を示す図である。図４に示すように、表示制御手段２０３は、記憶部２１の予約番号テーブル２１１に記録された予約番号を、端末装置２の操作表示部２２の表示画面２２ａに表示するよう制御する。表示制御手段２０３は、１つの印刷指示情報に対して予約番号が複数ある場合は、これら複数の予約番号を関連付けてリストとして表示するよう制御してもよい。また、表示制御手段２０３は、印刷指示情報が複数ある場合は、複数の印刷指示情報に係る予約番号を一覧としてまとめて表示するよう制御してもよい。なお、図４で示した「提出用.pdf」、「レポート.xdw」、「夏休みの旅行.jpg」は、印刷指示情報の名称（印刷対象のファイル名）の一例である。
【００３５】
読取手段２０４は、後述する画像形成装置３の操作表示部３２に表示されたコード画像（登録商標）から情報を読み取る。具体的には、読取手段２０４は、端末装置２の画像読取部２３が画像形成装置３の操作表示部３２に表示されたコード画像にかざれると、端末装置２の画像読取部２３を制御してコード画像の撮像を行うとともに、撮像により得られた画像を解析してコード画像に含まれる情報を取得する。
【００３６】
実行指示手段２０５は、ユーザの操作により、受信手段２０２が受信した予約番号及び読取手段２０４がコード画像から読み取った情報に基づいて、画像形成装置３に印刷の実行を指示する。印刷は、処理の一例である。
【００３７】
（画像形成装置の構成）
図５は、画像形成装置３の制御系の一例を示すブロック図である。この画像形成装置３は、画像形成装置３の各部を制御する制御部２０と、各種のデータを記憶する記憶部３１と、情報の入力及び表示を行う操作表示部３２と、原稿から原稿画像を読み取る画像読取部３３と、画像を印刷出力する画像出力部３４と、外部ファクシミリ装置６に対して公衆回線網７を介してファクシミリ送受信を行うファクシミリ通信部３５と、クラウドサーバ４との間でネットワーク５を介して通信するネットワーク通信部３６と、端末装置２との間で無線通信を行う無線通信部３７とを備える。
【００３８】
画像形成装置３の制御部３０は、ＣＰＵ（Central Processing Unit）、インターフェース等から構成されている。ＣＰＵは、記憶部２１に記録されたプログラム３１０に従って動作することにより、コード画像生成手段３００、表示制御手段３０１、受付手段３０２、実行手段３０３等として機能する。各手段３００〜３０３の詳細については後述する。
【００３９】
記憶部２１は、ＲＯＭ（Read Only Memory）、ＲＡＭ（Random Access Memory）、ハードディスク等から構成され、プログラム３１０、画像形成装置識別情報３１１、クラウド情報３１２等の各種データを記憶する。画像形成装置識別情報３１１は、装置識別情報の一例である。
【００４０】
画像形成装置識別情報３１１は、当該画像形成装置３を識別する識別情報であり、例えば、画像形成装置３のＩＤや名称、ＩＰアドレス等が該当する。画像形成装置３の名称は、例えば、複合機であることを示す「ＭＦＰ」と、画像形成装置３を識別するＩＤを示す番号（例えば、「０１〜０３」等）とを含んで構成された文字列でもよい。ＩＰアドレスは、例えば、０〜２５５の値を持つ４つの数字がドットで区切られたものである。
【００４１】
クラウド情報３１２は、当該画像形成装置３が関連付いているクラウドサーバ４を識別する識別情報であり、例えば、当該画像形成装置３が関連付いているクラウドサーバ４のＩＤや名称、ＩＰアドレス等が該当する。
【００４２】
操作表示部３２は、例えば、タッチパネルディスプレイであり、液晶ディスプレイ等のディスプレイにタッチパネルを重合配置した構成を有する。
【００４３】
画像読取部３３は、原稿から原稿画像を読み取るものであり、原稿台上に設けられた自動原稿送り装置と、スキャナとを備え、原稿台に配置された原稿、又は自動原稿送り装置により送られた原稿から原稿画像を光学的に読み取る。
【００４４】
画像出力部３４は、例えば、電子写真方式、インクジェット方式等によりカラー画像又は白黒画像を用紙等の記録媒体に印刷出力する。
【００４５】
ファクシミリ通信部３５は、Ｇ３、Ｇ４等のファクシミリプロトコルに従ってデータの変復調を行い、公衆回線網７を介してファクシミリ通信を行う。
【００４６】
ネットワーク通信部３６は、ＮＩＣ（Network Interface Card）等によって実現され、ネットワーク５を介してクラウドサーバ４との間で信号を送受信する。
【００４７】
無線通信部３７は、Ｗｉ−ＦｉやＢｌｕｅＴｏｏｔｈ（登録商標）等を用いて、端末装置２との間で情報や信号を送受信する。
【００４８】
コード画像生成手段３００は、記憶部３１に記憶された画像形成装置識別情報３１１及びクラウド情報３１２を含むコード画像、例えばＱＲコード（登録商標）を生成する。ＱＲコード（登録商標）とは、２種類の色彩（例えば、白及び黒）の格子状のパターンで情報を示したものである。コード画像生成手段３００により生成されるコード画像には、当該画像形成装置３のＩＤ、ＩＰアドレス、及び当該画像形成装置３が関連付けられたクラウドサーバ４のＩＤ、ＩＰアドレスに関する情報が含まれる。
【００４９】
表示制御手段３０１は、画像形成装置３の操作表示部３２の表示画面にコード画像生成手段３００が生成したコード画像を表示するよう制御する。
【００５０】
受付手段３０２は、当該画像形成装置３が関連付けられたクラウドサーバ４から送信される印刷指示情報を受け付ける。
【００５１】
実行手段３０３は、画像読取部３３、画像出力部３４、ファクシミリ通信部３５等を制御して各処理を実行する。例えば、実行手段３０３は、受付手段３０２が受け付けた印刷指示情報に基づいて、画像出力部３４を制御して印刷を実行する。
【００５２】
なお、クラウドサーバ４から送信される印刷指示情報に含まれる印刷条件で印刷できない場合、実行手段３０３は、予め設定された特定の印刷条件で印刷を実行する。
【００５３】
（クラウドサーバの構成）
図４は、クラウドサーバ４の制御系の一例を示すブロック図である。図４に示すように、このクラウドサーバ４は、クラウドサーバ４の各部を制御する制御部４０と、各種のデータを記憶する記憶部４１と、画像形成装置３との間でネットワーク５を介して通信するネットワーク通信部４２と、端末装置２との間で無線通信を行う無線通信部４３とを備える。
【００５４】
クラウドサーバ４の制御部４０は、ＣＰＵ（Central Processing Unit）、インターフェース等から構成されている。ＣＰＵは、記憶部４１に記録されたプログラム４１０に従って動作することにより、受付手段４００、予約番号発行手段４０１、転送手段４０２、送信手段４０３等として機能する。各手段４００〜４０３の詳細については後述する。
【００５５】
クラウドサーバ４の記憶部４１は、ＲＯＭ（Read Only Memory）、ＲＡＭ（Random Access Memory）、ハードディスク等から構成され、プログラム４１０、印刷指示情報テーブル４１２（図７参照）、自動転送テーブル４１３（図８各図参照）等の各種データを記憶する。
【００５６】
クラウドサーバ４のネットワーク通信部４２は、ネットワーク５を介して、画像形成装置３や他のクラウドサーバ４との間で信号を送受信する。クラウドサーバ４の無線通信部４３は、Ｗｉ−ＦｉやＢｌｕｅＴｏｏｔｈ（登録商標）等を用いて、上述の端末装置２との間で信号を送受信する。
【００５７】
（印刷指示情報テーブルの構成）
図７は、印刷指示情報テーブル４１２の一例を示す図である。印刷指示情報テーブル４１２には、印刷データ及び印刷条件を含む印刷指示情報と予約番号とが関連付けられて記録されている。印刷指示情報テーブル４１２には、「印刷データ」欄と、「名称」欄と、「印刷条件」欄と、「予約番号」欄とが設けられている。印刷指示情報は、処理指示情報の一例である。
【００５８】
「印刷データ」欄には、プリンタが解釈できるＰＤＦ（Portable Document Format)、ＰｏｓｔＳｃｒｉｐｔ（登録商標）等のページ記述言語（ＰＤＬ：Page Description Language）で記述された情報が記録されている。「名称」欄には、印刷指示情報の名称（例えば、印刷対象のファイル名等）が記録されている。
【００５９】
「印刷条件」欄には、例えば、印刷用紙の大きさ、カラーモード等、印刷対象を印刷するための各種条件が記録されている。「予約番号」欄には、印刷指示情報に対応する予約番号が記録されている。予約番号は、予め定められた桁数（例えば、８桁）の数字で構成された番号である。
【００６０】
なお、予約番号は、数字のみで構成されるもののみに限定されるものではなく、文字や記号（例えば、＃）を含んで構成されるものであってもよい。また、予約番号は、クラウドサーバ４に応じて形式が異なるものであってもよい。「形式が異なる予約番号」とは、例えば、異なるアルゴリズムで付与された番号を含む予約番号や、数字部分の桁数や記号の種類等が異なる予約番号等、異なる規則で付与された番号を広く含む。
【００６１】
（自動転送テーブルの構成）
図８は、自動転送テーブル４１３の一例を示す図であり、（ａ）は、第１のクラウドサーバ４Ａの記憶部４１に記憶された例を示し、（ｂ）は、第２のクラウドサーバ４Ｂの記憶部４１に記憶された例を示し、（ｃ）は、第３のクラウドサーバ４Ｃの記憶部４１に記憶された例を示す。自動転送テーブル４１３には、１つのクラウドサーバ４が他のクラウドサーバ４に印刷指示情報を転送するか否かについての情報が記録されている。
【００６２】
自動転送テーブル４１３には、「クラウド名」欄と、「自動転送の指定」欄とが設けられている。「クラウド名」欄には、自己のクラウドサーバ４以外のクラウドサーバ４の名称が記録されている。例えば、図８（ａ）に示すように、第１のクラウドサーバ４Ａの記憶部４１に記憶された自動転送テーブル４１３の「クラウド名」欄には、「第２のクラウド」及び「第３のクラウド」が記録されている。また、図８（ｂ）に示すように、第２のクラウドサーバ４Ｂの記憶部４１に記憶された自動転送テーブル４１３の「クラウド名」欄には、「第１のクラウド」及び「第３のクラウド」が記録されている。また、図８（ｃ）に示すように、第３のクラウドサーバ４Ｃの記憶部４１に記憶された自動転送テーブル４１３の「クラウド名」欄には、「第１のクラウド」及び「第２のクラウド」が記録されている。
【００６３】
「自動転送の指定」欄には、他のクラウドサーバ４に印刷指示情報を転送するか否かの情報が記録されている。例えば、「自動転送の指定」欄には、他のクラウドサーバ４に印刷指示情報を転送する指定を示す「する」、他のクラウドサーバ４に印刷指示情報を転送しない指定を示す、「しない」が記録されている。なお、これらの設定は、予め定められたものでもよく、例えば、端末装置２からの指示により設定されたものでもよい。
【００６４】
受付手段４００は、端末装置２及びクラウドサーバ４から送信される各種情報を受け付ける。具体的には、受付手段４００は、端末装置２から送信される印刷指示情報、端末装置２から送信された予約番号及び画像形成装置識別情報、他のクラウドサーバ４から転送された印刷指示情報等を受け付ける。
【００６５】
予約番号発行手段４０１は、クラウドサーバ４ごとに予め定められた規則に従って、受付手段４００が受け付けた印刷指示情報に付与する予約番号を発行する。また、予約番号発行手段４０１は、発行した予約番号を印刷指示情報に関連付けて記憶部４１の印刷指示情報テーブル４１２に記録する。
【００６６】
転送手段４０２は、記憶部４１に記憶された自動転送テーブル４１３を参照し、受付手段４００が受け付けた印刷指示情報を他のクラウドサーバ４のうち、自動転送が指定されたクラウドサーバ４に転送する。
【００６７】
送信手段４０３は、予約番号発行手段４０１が発行した予約番号を端末装置２に送信する。なお、送信手段４０３は、予約番号とともに、当該予約番号に対応する印刷指示情報の名称等印刷指示情報を特定できる予約番号以外の情報を端末装置２に送信してもよい。なお、図４に示したように、印刷指示情報の名称は、例えば、印刷対象となるファイル名（テキストデータ）でもよい。
【００６８】
また、送信手段４０３は、端末装置２から送信される画像形成装置識別情報が示す画像形成装置３に、端末装置２から送信される予約番号が示す印刷指示情報を送信する。
【００６９】
（第１の実施の形態の動作）
（情報処理システムの動作）
次に、本発明の第１の実施の形態に係る情報処理システム１の動作の一例について図９を参照して説明する。図９は、図１に示す情報処理システム１の動作の一例を示すタイミングチャートである。なお、以下では、一例として、ユーザが端末装置２からオフィスに対応して設置された第２のクラウドサーバ４Ｂに対して印刷指示情報を送信し、かつ、ユーザが端末装置２からコンビニエンスストアに対応して設置された第３の画像形成装置３Ｃに印刷の実行を指示する例について説明する。なお、オフィス以外（コンビニエンスストア又は公共施設）に対応して設置されたクラウドサーバ４に対して印刷指示情報を送信し、当該クラウドサーバ４に関連付けられていない、他のエリア（オフィス、コンビニエンスストア又は公共施設）に設置された画像形成装置３に印刷の実行を指示する場合も同様である。
【００７０】
端末装置２の生成手段２００は、ユーザの操作に基づいて、印刷データ及び印刷条件を含む印刷指示情報（印刷ジョブ）を生成する（Ｓ１）。端末装置２の送信手段２０１は、生成手段２００が生成した印刷指示情報を第２のクラウドサーバ４Ｂに送信する（Ｓ２）。第２のクラウドサーバ４Ｂの受付手段４００は、端末装置２から送信される印刷指示情報を受け付ける。
【００７１】
第２のクラウドサーバ４Ｂの転送手段４０２は、記憶部４１に記憶された図８（ｂ）に示す第２のクラウドサーバ４Ｂ用の自動転送テーブル４１３を参照し、受付手段４００が受け付けた印刷指示情報を、自動転送が指定されている第１のクラウドサーバ４Ａ及び第３のクラウドサーバ４Ｃに転送する（Ｓ３）。
【００７２】
第１のクラウドサーバ４Ａの受付手段４００及び第３のクラウドサーバ４Ｃの受付手段４００は、第２のクラウドサーバ４Ｂから転送された印刷指示情報をそれぞれ受け付ける。
【００７３】
各クラウドサーバ４の予約番号発行手段４０１は、クラウドサーバ４ごとに予め定められた規則に従って、各受付手段４００が受け付けた印刷指示情報に付与する予約番号をそれぞれ発行し（Ｓ４）、発行した予約番号を印刷指示情報に関連付けて記憶部４１の印刷指示情報テーブル４１２にそれぞれ記録する。
【００７４】
各クラウドサーバ４の送信手段４０３は、各予約番号発行手段４０１が発行した予約番号を印刷指示情報の名称とともにそれぞれ端末装置２に送信する（Ｓ５）。
【００７５】
端末装置２の受信手段２０２は、各クラウドサーバ４から送信された予約番号及び印刷指示情報の名称を受信し、受信した予約番号を印刷指示情報の名称に関連付けて記憶部２１の予約番号テーブル２１１に記録する。
【００７６】
端末装置２の表示制御手段２０３は、図４に示すように、端末装置２の操作表示部２２の表示画面２２ａに、予約番号テーブル２１１に記録された予約番号を印刷指示情報の名称と関連付けて表示するよう制御する（Ｓ６）。ユーザは、名称が表示された印刷指示情報の名称の中から印刷を行いたい印刷指示情報を選択する。
【００７７】
ここで、第３の画像形成装置３Ｃのコード画像生成手段３００は、第３の画像形成装置３Ｃの記憶部３１に記憶された画像形成装置識別情報３１１及びクラウド情報３１２に基づいて、画像形成装置識別情報３１１及びクラウド情報３１２を含むコード画像を生成する。具体的には、コード画像生成手段３００は、第３の画像形成装置３ＣのＩＤ、ＩＰアドレス、及びこの第３の画像形成装置３Ｃが関連付けられている第３のクラウドサーバ４ＣのＩＤ、ＩＰアドレスに関する情報を含むコード画像を生成する（Ｓ７）。
【００７８】
表示制御手段３０１は、第３の画像形成装置３Ｃの操作表示部３２の表示画面にコード画像生成手段３００が生成したコード画像を表示するよう制御する（Ｓ８）。
【００７９】
次に、ユーザが端末装置２の画像読取部２３を第３の画像形成装置３Ｃの操作表示部３２に表示されたコード画像にかざすと、端末装置２の読取手段２０４は、コード画像から第３の画像形成装置３ＣのＩＤ、ＩＰアドレス、及びこの第３の画像形成装置３Ｃが関連付けられている第３のクラウドサーバ４ＣのＩＤ、ＩＰアドレスに関する情報を読み取る（Ｓ９）。
【００８０】
また、端末装置２の実行指示手段２０５は、ユーザの操作により印刷の実行を指示する（Ｓ１０）。具体的には、端末装置２の実行指示手段２０５は、読取手段２０４がコード画像から読み取った上記情報に基づいて、第３の画像形成装置３ＣのＩＤ、ＩＰアドレスを、ユーザにより選択された印刷指示情報の名称に関連付けられた予約番号とともに、第３のクラウドサーバ４Ｃに送信する（Ｓ１１）ことにより、第３のクラウドサーバ４Ｃを介して、第３の画像形成装置３Ｃに印刷の実行を指示する。
【００８１】
第３のクラウドサーバ４Ｃの受付手段４００は、端末装置２から送信された予約番号及び第３の画像形成装置３ＣのＩＤ、ＩＰアドレスを受け付ける。
【００８２】
第３のクラウドサーバ４Ｃの送信手段４０３は、第３の画像形成装置３Ｃに端末装置２から送信された予約番号が示す印刷指示情報を送信する（Ｓ１２）。
【００８３】
第３の画像形成装置３Ｃの受付手段３０２は、第３のクラウドサーバ４Ｃから送信される印刷指示情報を受け付ける。
【００８４】
第３の画像形成装置３Ｃの実行手段３０３は、受付手段３０２が受け付けた印刷指示情報に基づいて、画像出力部３４を制御して印刷を実行する（Ｓ１３）。
【００８５】
なお、説明の便宜上、ステップＳ７のコード画像の生成及びＳ８のコード画像の表示を、ステップＳ６の後に入れたが、このＳ７及びＳ８の２つのステップは、ステップＳ９のコード画像からの情報の読み取りの前であればどこに入れてもよい。
【００８６】
次に、情報処理システム１を構成する各装置の動作について図１０〜図１２を参照して説明する。
【００８７】
（端末装置の動作）
図１０は、端末装置２の動作の一例を示すフローチャートである。生成手段２００は、ユーザの操作に基づいて印刷指示情報を生成する（Ｓ２０）。次に、送信手段２０１は、生成手段２００が生成した印刷指示情報を、ユーザの操作により特定されたクラウドサーバ４に送信する（Ｓ２１）。
【００８８】
次に、受信手段２０２は、各クラウドサーバ４から送信された予約番号及び印刷指示情報の名称を受信し（Ｓ２２）、記憶部２１の予約番号テーブル２１１に記録する。次に、表示制御手段２０３は、図４に示すように、端末装置２の操作表示部２２の表示画面２２ａに、予約番号テーブル２１１に記録された予約番号を印刷指示情報の名称と関連付けて表示するよう制御する（Ｓ２３）。ユーザは、名称が表示された印刷指示情報の名称の中から印刷を行いたい印刷指示情報を選択する。
【００８９】
次に、ユーザが端末装置２の画像読取部２３を画像形成装置３の操作表示部３２に表示されたコード画像にかざすと、読取手段２０４は、画像形成装置３の操作表示部３２に表示されたコード画像から画像形成装置識別情報３１１及びクラウド情報３１２を読み取る（Ｓ２４）。
【００９０】
次に、実行指示手段２０５は、読取手段２０４がコード画像から読み取った画像形成装置識別情報３１１及びクラウド情報３１２に基づいて、画像形成装置識別情報３１１及び、ユーザにより選択された印刷指示情報の名称に関連付けられた予約番号を、当該クラウド情報３１２が示すクラウドサーバ４に送信することにより、クラウドサーバ４を介して、当該画像形成装置識別情報が示す画像形成装置３に印刷の実行を指示する（Ｓ２５）。
【００９１】
（画像形成装置の動作）
図１１は、画像形成装置３の動作の一例を示すフローチャートである。コード画像生成手段３００は、記憶部３１に記憶された画像形成装置識別情報３１１及びクラウド情報３１２を含むコード画像を生成する（Ｓ３０）。
【００９２】
表示制御手段３０１は、操作表示部３２の表示画面にコード画像生成手段３００が生成したコード画像を表示するよう制御する（Ｓ３１）。
【００９３】
次に、受付手段３０２は、当該画像形成装置３が関連付けられたクラウドサーバ４から印刷指示情報が送信された場合（Ｓ３２：Ｙｅｓ）、送信された印刷指示情報を受け付ける（Ｓ３３）。
【００９４】
実行手段３０３は、受付手段３０２が印刷指示情報を受け付けた場合、この印刷指示情報に基づいて、画像出力部３４を制御して印刷を実行する（Ｓ３４）。
【００９５】
（クラウドサーバの動作）
図１２は、クラウドサーバ４の動作の一例を示すフローチャートである。ユーザの操作により端末装置２から印刷指示情報が送信された場合（Ｓ４０：Ｙｅｓ）、受付手段４００は、この印刷指示情報を受け付ける（Ｓ４１）。
【００９６】
受付手段４００が印刷指示情報を受け付けた場合、転送手段４０２は、記憶部４１に記憶された自動転送テーブル４１３を参照し、受付手段４００が受け付けた印刷指示情報を他のクラウドサーバ４のうち、自動転送が指定されたクラウドサーバ４に転送する（Ｓ４２）。
【００９７】
ユーザの操作により端末装置２から直接的に印刷指示情報が送信されない場合であっても（Ｓ４０：Ｎｏ）、他のクラウドサーバ４から印刷指示情報が転送された場合（Ｓ４３：Ｙｅｓ）、受付手段４００は、この印刷指示情報を受け付ける（Ｓ４４）。
【００９８】
予約番号発行手段４０１は、クラウドサーバ４ごとに予め定められた規則に従って、受付手段４００が受け付けた印刷指示情報に付与する予約番号を発行する（Ｓ４５）。また、予約番号発行手段４０１は、発行した予約番号を印刷指示情報に関連付けて記憶部４１の印刷指示情報テーブル４１２に記録する（Ｓ４６）。
【００９９】
送信手段４０３は、予約番号発行手段４０１が発行した予約番号を印刷指示情報の名称とともに端末装置２に送信する（Ｓ４７）。
【０１００】
次に、端末装置２から印刷の実行が指示された場合（Ｓ４８：Ｙｅｓ）、すなわち、端末装置２から予約番号及び画像形成装置識別情報が送信された場合、送信手段４０３は、端末装置２から送信される画像形成装置識別情報が示す画像形成装置３に、端末装置２から送信された予約番号が示す印刷指示情報を送信する（Ｓ４９）。
【０１０１】
＜変形例１＞
以上説明した上述の第１の実施の形態では、画像形成装置３の制御部３０にコード画像生成手段３００を設けたが、画像形成装置識別情報３１１及びクラウド情報３１２を認識できる手段であれば必ずしもこれに限られるものではなく、例えば、通信可能距離が、例えば１０ｃｍ程度以下の近接無線通信（例えば、ＮＦＣ）やＢｌｕｅＴｏｏｔｈ（登録商標）を用いて上記の情報を認識してもよい。
【０１０２】
＜変形例２＞
図１３は、変形例に係る情報処理システム１の動作の一例を示すタイミングチャートである。図１３に示すように、端末装置２は、情報処理システム１を構成する第１から第３クラウドサーバ４Ａ〜４Ｃに、予約番号及び画像装置識別情報３１１を送信するようにしてもよい。この場合、当該画像装置識別情報３１１が示す第３の画像形成装置３Ｃと関連付けられていない第１及び第２のクラウドサーバ４Ａ，４Ｂは、当該画像装置識別情報３１１に基づいて、それぞれに関連付けられた第１及び第２の画像形成装置３Ａ，３Ｂには、印刷指示情報を送信しないようにしてもよい。
【０１０３】
［第２の実施の形態］
図１４は、本発明の第２の実施の形態に係る情報処理装置としての端末装置２の制御系の一例を示すブロック図である。第２の実施の形態では、端末装置２の制御部２０が、送信指示手段２０６の機能を有する点で、第１の実施の形態と異なる。以下、第１の実施の形態と異なる点を中心に説明する。なお、第１の実施の形態と実質的に同一の機能を有する構成要素については、同一の符号を付してその重複した説明を省略する。
【０１０４】
図１４に示すように、端末装置２の制御部２０は、送信指示手段２０６をさらに有する。ＣＰＵは、端末装置２の記憶部２１のプログラム２１０に従って動作し、送信指示手段２０６としてさらに機能する。送信指示手段２０６の詳細については後述する。
【０１０５】
端末装置２の記憶部２１は、端末装置識別情報２１２のデータをさらに記憶する。端末装置識別情報２１２は、端末装置２を識別する情報であり、例えば、端末装置２のＩＤや名称、ＩＰアドレス等が該当する。
【０１０６】
送信指示手段２０６は、複数のクラウドサーバ４のうちの第１のクラウドサーバ４に対して、第２のクラウドサーバ４に印刷指示情報を送信するよう指示する。このとき、送信指示手段２０６は、受信手段２０２が第１のクラウドサーバ４から受信した予約番号とともに、読取手段２０４が読み取った画像形成装置３のＩＤ、ＩＰアドレスを含む画像形成装置識別情報と、端末装置２の記憶部２１に記憶された端末装置識別情報２１２と、送信先となる第２のクラウドサーバ４のＩＤ、ＩＰアドレス等を含むクラウド情報とを第１のクラウドサーバ４に送信する。なお、送信先となる第２のクラウドサーバ４は、読取手段２０４が情報を読み取った当該画像形成装置３が関連付けられたクラウドサーバ４である。
【０１０７】
（第２の実施の形態の動作）
（情報処理システムの動作）
次に、本発明の第２の実施の形態に係る情報処理システム１の動作の一例について図１５を参照して説明する。図１５は、第２の実施の形態に係る情報処理システム１の動作の一例を示すタイミングチャートである。なお、以下では、第１の実施の形態の説明と同様に、一例として、ユーザが端末装置２からオフィスに対応して設置された第２のクラウドサーバ４Ｂに対して印刷指示情報を送信し、かつ、ユーザが端末装置２からコンビニエンスストアに設置された第３の画像形成装置３Ｃに印刷の実行を指示する例について説明する。なお、第３の画像形成装置３Ｃにおいて、コード画像の生成及び表示のステップについては説明を省略する。第２のクラウドサーバ４Ｂは、１つのクラウドサーバの一例である。第３のクラウドサーバ４Ｃは、他の１つのクラウドサーバの一例である。
【０１０８】
端末装置２の生成手段２００は、ユーザの操作に基づいて、印刷データ及び印刷条件を含む印刷指示情報（印刷ジョブ）を生成する（Ｓ５０）。端末装置２の送信手段２０１は、生成手段２００が生成した印刷指示情報を第２のクラウドサーバ４Ｂに送信する（Ｓ５１）。第２のクラウドサーバ４Ｂの受付手段４００は、端末装置２から送信される印刷指示情報を受け付ける。
【０１０９】
第２のクラウドサーバ４Ｂの予約番号発行手段４０１は、予め定められた規則に従って、受付手段４００が受け付けた印刷指示情報に付与する予約番号を発行し（Ｓ５２）、発行した予約番号を印刷指示情報に関連付けて記憶部４１の印刷指示情報テーブル４１２に記録する。
【０１１０】
第２のクラウドサーバ４Ｂの送信手段４０３は、予約番号発行手段４０１が発行した予約番号を印刷指示情報の名称とともに端末装置２に送信する（Ｓ５３）。
【０１１１】
端末装置２の受信手段２０２は、第２のクラウドサーバ４Ｂから送信された予約番号及び印刷指示情報の名称を受信し、受信した予約番号を印刷指示情報の名称に関連付けて記憶部２１の予約番号テーブル２１１に記録する。
【０１１２】
端末装置２の表示制御手段２０３は、端末装置２の操作表示部２２の表示画面２２ａに、予約番号テーブル２１１に記録された予約番号を印刷指示情報の名称と関連付けて表示するよう制御する（Ｓ５４）。ユーザは、名称が表示された印刷指示情報の名称の中から印刷を行いたい印刷指示情報を選択する。
【０１１３】
次に、ユーザが端末装置２の画像読取部２３を第３の画像形成装置３Ｃの操作表示部３２に表示されたコード画像にかざすと、端末装置２の読取手段２０４は、コード画像から第３の画像形成装置３ＣのＩＤ、ＩＰアドレス、及びこの第３の画像形成装置３Ｃが関連付けられている第３のクラウドサーバ４ＣのＩＤ、ＩＰアドレスに関する情報を読み取る（Ｓ５５）。
【０１１４】
次に、端末装置２の送信指示手段２０６は、第２のクラウドサーバ４Ｂに対して、第３のクラウドサーバ４Ｃに印刷指示情報を送信するよう指示する（Ｓ５６）。このとき、端末装置２の送信指示手段２０６は、受信手段２０２が第２のクラウドサーバ４Ｂから受信した予約番号とともに、読取手段２０４が読み取った第３の画像形成装置３ＣのＩＤ、ＩＰアドレスを含む画像形成装置識別情報と、端末装置２の記憶部２１に記憶された端末装置識別情報２１２と、第３のクラウドサーバ４ＣのＩＤ、ＩＰアドレス等を含むクラウド情報とを第２のクラウドサーバ４Ｂに送信する（Ｓ５７）。
【０１１５】
第２のクラウドサーバ４Ｂの受付手段４００は、上記の予約番号、第３の画像形成装置３Ｃの画像形成装置識別情報、端末装置識別情報２１２、及び第３のクラウドサーバ４Ｃの識別情報を受け付ける。
【０１１６】
第２のクラウドサーバ４Ｂの送信手段４０３は、第２のクラウドサーバ４Ｂの受付手段４００が受け付けた情報に基づいて、第３のクラウドサーバ４Ｃに印刷指示情報を送信する（Ｓ５８）。第３のクラウドサーバ４Ｃの受付手段４００は、端末装置２から送信される印刷指示情報を受け付ける。
【０１１７】
第３のクラウドサーバ４Ｃの予約番号発行手段４０１は、予め定められた規則に従って、受付手段４００が受け付けた印刷指示情報に付与する予約番号を発行し（Ｓ５９）、発行した予約番号を印刷指示情報に関連付けて記憶部４１の印刷指示情報テーブル４１２に記録する。
【０１１８】
第３のクラウドサーバ４Ｃの送信手段４０３は、予約番号発行手段４０１が発行した予約番号を印刷指示情報の名称とともに端末装置２に送信する（Ｓ６０）。
【０１１９】
以下、ステップＳ６１からＳ６４までは、第１の実施の形態で説明したステップＳ１０からＳ１３と同様に動作する。すなわち、端末装置２の実行指示手段２０５は、ユーザの操作により印刷の実行を指示する（Ｓ６１）。具体的には、端末装置２の実行指示手段２０５が読取手段２０４がコード画像から読み取った上記情報に基づいて、第３の画像形成装置３ＣのＩＤ、ＩＰアドレスを、ユーザにより選択された印刷指示情報の名称に関連付けられた予約番号とともに、第３のクラウドサーバ４Ｃに送信し（Ｓ６２）、第３のクラウドサーバ４Ｃの送信手段４０３が第３の画像形成装置３Ｃに端末装置２から送信された予約番号が示す印刷指示情報を送信し（Ｓ６３）、第３の画像形成装置３Ｃの実行手段３０３が受付手段３０２が受け付けた印刷指示情報に基づいて、画像出力部３４を制御して印刷を実行する（Ｓ６４）。
【０１２０】
次に、第２の実施の形態に係る情報処理システム１を構成する各装置の動作について図１６及び図１７を参照して説明する。なお、画像形成装置３の動作については、第１の実施の形態で説明した画像形成装置３の動作と同様であるため説明を省略する。
【０１２１】
（端末装置の動作）
図１６は、第２の実施の形態に係る端末装置２の動作の一例を示すフローチャートである。ステップＳ７０からＳ７４までは、第１の実施の形態に係る端末装置２のＳ２０からＳ２４ｓと同様に動作する。すなわち、生成手段２００がユーザの操作に基づいて印刷指示情報を生成し（Ｓ７０）、送信手段２０１が印刷指示情報をユーザの操作により特定されたクラウドサーバ４に送信し（Ｓ７１）、受信手段２０２が当該特定されたクラウドサーバ４から送信された予約番号及び印刷指示情報の名称を受信し（Ｓ７２）、表示制御手段２０３が端末装置２の操作表示部２２の表示画面２２ａに予約番号を印刷指示情報の名称と関連付けて表示するよう制御し（Ｓ７３）、読取手段２０４が画像形成装置３の操作表示部３２に表示されたコード画像から画像形成装置識別情報３１１及びクラウド情報３１２を読み取る（Ｓ７４）。
【０１２２】
次に、送信指示手段２０６は、当該特定されたクラウドサーバ４に対して、予約番号、読取手段２０４が読み取った画像形成装置３の画像形成装置識別情報３１１、端末装置識別情報２１２、及びクラウド情報３１２を送信するとともに、印刷指示情報を送信するよう指示する（Ｓ７５）。
【０１２３】
受信手段２０２当該画像形成装置３が関連付けられたクラウドサーバ４から送信された予約番号及び印刷指示情報の名称を受信する（Ｓ７６）。
【０１２４】
次に、実行指示手段２０５は、読取手段２０４がコード画像から読み取った画像形成装置識別情報３１１及びクラウド情報３１２に基づいて、画像形成装置識別情報３１１及び、ユーザにより選択された印刷指示情報の名称に関連付けられた予約番号を、当該クラウド情報３１２が示すクラウドサーバ４に送信することにより、クラウドサーバ４を介して、当該画像形成装置識別情報が示す画像形成装置３に印刷の実行を指示する（Ｓ７７）。
【０１２５】
図１７は、第２の実施の形態に係るクラウドサーバ４の動作の一例を示すフローチャートである。端末装置２から印刷指示情報が送信された場合（Ｓ８０：印刷指示情報）、ステップＳ８１〜Ｓ８４までは、第１の実施の形態に係るステップＳ４１、Ｓ４５〜Ｓ４７と同様に動作する。すなわち、受付手段４００が印刷指示情報を受け付け（Ｓ８１）、予約番号発行手段４０１がクラウドサーバ４ごとに予め定められた規則に従って、受付手段４００が受け付けた印刷指示情報に付与する予約番号を発行し（Ｓ８２）、予約番号発行手段４０１が、発行した予約番号を印刷指示情報に関連付けて記憶部４１の印刷指示情報テーブル４１２に記録する（Ｓ８３）、送信手段４０３が予約番号を印刷指示情報の名称とともに端末装置２に送信する（Ｓ８４）。
【０１２６】
端末装置２から印刷指示情報を送信するよう指示された場合（Ｓ８０：送信指示）、ユーザの操作により特定されたクラウドサーバ４の送信手段４０３は、送信先として指示されたクラウドサーバ４に印刷指示情報を送信する（Ｓ８５）。
【０１２７】
端末装置２から印刷の実行が指示された場合（Ｓ８０：印刷の実行の指示）、すなわち、端末装置２から予約番号及び画像形成装置識別情報が送信された場合、第１の実施の形態のステップＳ４９と同様に、送信手段４０３が、端末装置２から送信される画像形成装置識別情報が示す画像形成装置３に、端末装置２から送信された予約番号が示す印刷指示情報を送信する（Ｓ８６）。
【０１２８】
以上、本発明の実施の形態を説明したが、本発明の実施の形態は上記実施の形態に限定されるものではなく、本発明の要旨を変更しない範囲内で種々の変形、実施が可能である。例えば、端末装置２が有する各手段のうちの一部をクラウドサーバ、画像形成装置又は他の装置に移してもよい。例えば、送信手段を他の端末装置（例えば、設置型のパーソナルコンピュータ）に移してもよい。
【０１２９】
各制御部２０，３０，４０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【０１３０】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができ、外部サーバに格納しておき、ネットワークを介して利用することもできる。
【符号の説明】
【０１３１】
１…情報処理システム、２…端末装置、３…画像形成装置、３Ａ…第１の画像形成装置、３Ｂ…第２の画像形成装置、３Ｃ…第３の画像形成装置、４…クラウドサーバ、４Ａ…第１のクラウドサーバ、４Ｂ…第２のクラウドサーバ、４Ｃ…第３のクラウドサーバ、５…ネットワーク、５Ａ…第１のネットワーク、５Ｂ…第２のネットワーク、５Ｃ…第３のネットワーク、５Ｄ…第４のネットワーク、６…外部ファクシミリ装置、７…公衆回線網、２０，３０，４０…制御部、２１…記憶部、２２…操作表示部、２２ａ…表示画面、２３…画像読取部、２４…無線通信部、３０…制御部、３１…記憶部、３２…操作表示部、３３…画像読取部、３４…画像出力部、３５…ファクシミリ通信部、３６…ネットワーク通信部、３７…無線通信部、４０…制御部、４１…記憶部、４２…ネットワーク通信部、４３…無線通信部、２００…生成手段、２０１…送信手段、２０２…受信手段、２０３…表示制御手段、２０４…読取手段、２０５…実行指示手段、２０６…送信指示手段、２１０…プログラム、２１１…予約番号テーブル、２１２…端末装置識別情報、３００…コード画像生成手段、３０１…表示制御手段、３０２…受付手段、３０３…実行手段、３１０…プログラム、３１１…画像形成装置識別情報、３１２…クラウド情報、４００…受付手段、４０１…予約番号発行手段、４０２…転送手段、４０３…送信手段、４１０…プログラム、４１２…印刷指示情報テーブル、４１３…自動転送テーブル
【図１】
2019057146.tif 000003
【図２】
2019057146.tif 000004
【図３】
2019057146.tif 000005
【図４】
2019057146.tif 000006
【図５】
2019057146.tif 000007
【図６】
2019057146.tif 000008
【図７】
2019057146.tif 000009
【図８】
2019057146.tif 000010
【図９】
2019057146.tif 000011
【図１０】
2019057146.tif 000012
【図１１】
2019057146.tif 000013
【図１２】
2019057146.tif 000014
【図１３】
2019057146.tif 000015
【図１４】
2019057146.tif 000016
【図１５】
2019057146.tif 000017
【図１６】
2019057146.tif 000018
【図１７】
2019057146.tif 000019